(57)【要約】【課題】必要な商品を店舗から迅速に購入できるようにする。【解決手段】選択可能なアプリケーションソフトウェアを表示する表示画面と、バーコードを撮像するカメラと、を少なくとも備えた携帯電話機を用い、商品に記載されたバーコードをカメラで撮像してバーコード情報を取得するバーコード撮像工程Ｓ２と、インターネットを介してバーコード情報を店舗に送信するバーコード情報送信工程Ｓ５と、店舗においてバーコード情報を受信しバーコード情報から商品を特定する商品特定工程Ｓ６とを実行する。バーコードを携帯電話機で撮影して店舗に送信するだけで、商品を迅速に手に入れることを可能とする。【選択図】図３
2016004524.tif 000002
【特許請求の範囲】
【請求項１】
選択可能なアプリケーションソフトウェアを表示する表示画面と、バーコードを撮像するカメラと、を少なくとも備えた携帯電話機を用いて商品を購入する商品購入方法であって、
商品に記載されたバーコードを該カメラで撮像してバーコード情報を取得するバーコード撮像工程と、
インターネットを介して該バーコード情報を店舗に送信するバーコード情報送信工程と、
該店舗において該バーコード情報を受信し、該バーコード情報から商品を特定する商品特定工程と、
から少なくとも構成される商品特定方法。
【請求項２】
前記バーコード撮像工程には、商品の個数を入力する個数入力ステップが含まれる
請求項１に記載の商品購入方法。
【請求項３】
前記バーコード撮像工程には、複数の商品に対する複数のバーコードをリスト化するバーコードリストステップが含まれる
請求項１に記載の商品購入方法。
【請求項４】
商品の代金の支払方法を特定する支払方法特定工程が含まれる
請求項１に記載の商品購入方法。
【請求項５】
前記表示画面に複数の店舗情報が表示され、該表示画面から店舗を選定する店舗選定工程が含まれる
請求項１に記載の商品購入方法。
【請求項６】
前記店舗から、商品の納品の時間帯を前記携帯電話機に送信する
請求項１に記載の商品購入方法。
【発明の詳細な説明】
【技術分野】
【０００１】
本発明は、インターネットを介して商品を購入する方法に関する。
【背景技術】
【０００２】
商品を購入する方法には、スーパーマーケット等の店舗に出向いて直接購入する方法、カタログを見た上で電話等により申し込んで購入する方法、インターネット上の買い物サイトで購入する方法などの多様な方法があり、事情に応じて最適な購入方法を選択できる環境が整っている（例えば、特許文献１参照）。
【先行技術文献】
【特許文献】
【０００３】
【特許文献１】特開２００５−２９３０７６号公報
【発明の概要】
【発明が解決しようとする課題】
【０００４】
しかし、日常的によく使用する商品、例えば、醤油、味噌、砂糖等が切れた場合は、商品を迅速に入手する必要があるが、スーパーマーケット等の店舗での購入、カタログでの購入、インターネットでの購入では、時間がかかりすぎ、迅速性に欠けるという問題がある。
【０００５】
本発明は、このような問題にかんがみなされたもので、必要な商品を店舗から迅速に購入できるようにすることを目的とする。
【課題を解決するための手段】
【０００６】
本発明は、選択可能なアプリケーションソフトウェアを表示する表示画面と、バーコードを撮像するカメラと、を少なくとも備えた携帯電話機を用いて商品を購入する商品購入方法であって、商品に記載されたバーコードをカメラで撮像してバーコード情報を取得するバーコード撮像工程と、インターネットを介してバーコード情報を店舗に送信するバーコード情報送信工程と、店舗においてバーコード情報を受信し、バーコード情報から商品を特定する商品特定工程と、から少なくとも構成される。
【０００７】
上記商品購入方法において、バーコード撮像工程には、商品の個数を入力する個数入力ステップが含まれることが好ましい。
また、バーコード撮像工程には、複数の商品に対する複数のバーコードをリスト化するバーコードリストステップが含まれることが好ましい。
上記商品購入方法には、商品の代金の支払方法を特定する支払方法特定工程が含まれることが好ましい。
また、表示画面に複数の店舗情報が表示され、表示画面から店舗を選定する店舗選定工程が含まれることが好ましい。
さらに、店舗から商品の納品の時間帯を携帯電話機に送信することが好ましい。
【発明の効果】
【０００８】
本発明に係る商品購入方法は、バーコード撮像工程において携帯電話機を用いて商品に付されたバーコードを撮像し、バーコード情報送信工程においてそのバーコード情報を店舗に送信し、商品特定工程では店舗側においてバーコード情報から商品を特定するため、店舗側で特定された商品を注文者に配達することができる。したがって、例えば、主婦が夕食の支度をしている最中に醤油などの調味料が不足していることに気づき、同じ製品を迅速に手に入れたい場合は、その調味料のびんなどの入れ物に付されているバーコードを携帯電話機で撮影して店舗に送信するだけで、同じ商品を迅速に手に入れることができる。
【０００９】
バーコード撮像工程において商品の個数を入力するようにすれば、欲しい商品を所望の数量手に入れることができる。
【００１０】
バーコード撮像工程において複数の商品に対する複数のバーコードをリスト化するようにすれば、複数の商品を同時に購入したい場合に、各商品を確認することができる。
【００１１】
商品の代金の支払方法を特定するようにすれば、注文者が望む支払方法を選択することができる。
【００１２】
表示画面に複数の店舗情報が表示され、表示画面から店舗を選定するようにすれば、複数の店舗の中から注文者が望む店舗を選択して商品を注文することができる。
【００１３】
店舗から、商品の納品の時間帯を携帯電話機に送信するようにすれば、注文者は、納品の時間帯を把握することができ、確実に商品を受け取ることが可能となる。
【図面の簡単な説明】
【００１４】
【図１】商品購入システムを示す基本装置構成図である。
【図２】商品購入システムを示すブロック図である。
【図３】商品購入方法を示すフローチャートである。
【図４】メニュー画面の例を示す図である。
【図５】店舗選択画面の例を示す図である。
【図６】バーコード表示画面の例を示す図である。
【図７】購入商品リスト画面の例を示す図である。
【図８】数量入力画面の例を示す図である。
【図９】支払方法選択画面の例を示す図である。
【図１０】バーコード情報送信画面の例を示す図である。
【発明を実施するための形態】
【００１５】
図１に示す商品購入システムは、商品を購入しようとする者が所有する携帯電話機１と、商品の販売を行う店舗２のサーバ２０とがインターネット３を介して接続されて構成されている。サーバ２０には端末２１が接続されている。
【００１６】
図１に示した携帯電話機１は、ＣＰＵ及びメモリを備え、複数のアプリケーションソフトウェアを実行可能であり、選択可能なアプリケーションソフトウェアを表示する表示画面１０と、バーコードを撮像するカメラ１１と、を少なくとも備えている。携帯電話機１は、例えばスマートフォンであるが、インターネットとの接続機能があれば、タブレット端末でもよいし、いわゆるガラケー（ガラパゴス携帯）でもよい。図１では携帯電話機１を１台のみ図示しているが、複数の携帯電話機がサーバ２０と接続可能である。携帯電話機１がスマートフォンである場合は、表示画面１０に表示されるキーパッドが、各種情報を入力するための入力手段となる。
【００１７】
図２に示すように、携帯電話機１は、カメラ１１を用いてバーコードを撮像してバーコード情報を内部の記憶素子に記憶するバーコード撮像手段１２と、バーコード撮像手段１２によって取得されたバーコード情報を、インターネットを介して店舗２のサーバ２０に送信するバーコード情報送信手段１３とを備えている。
【００１８】
また、携帯電話機１は、バーコード情報を送信する宛先となる店舗を選択する店舗選択手段１４と、購入する商品の個数を入力する個数入力手段１５と、購入する商品が複数ある場合に複数の商品のバーコードをリスト化して表示画面１０に表示するバーコードリスト手段１６と、商品の代金の支払方法を特定する支払方法特定手段１７とを備えている。
【００１９】
一方、店舗２のサーバ２０には、各商品と商品ごとのバーコード情報とを対応付けて記憶し、バーコード情報送信手段１３から送信されたバーコード情報を受信し、そのバーコード情報に対応する商品を特定する商品特定手段２２を備えている。また、サーバ２０には、商品特定手段２２によって特定された商品の配達時間帯を携帯電話機１に送信する時間帯情報送信手段２３を備えている。これに対応し、携帯電話機１には、時間帯情報送信手段２３からの時間帯情報を受信し表示画面１０に表示する時間帯表示手段１８を備えている。
【００２０】
以下では、一般家庭等において、図１及び図２に示した携帯電話機１を用いて商品等を購入する場合について、図３のフローチャート及び図４〜図１０の画面表示例を参照して説明する。
【００２１】
例えば、主婦が料理をしていたところ、醤油がなくなり、至急醤油が必要になった場合は、その主婦は、携帯電話機１の表示画面１０に表示される図４のメニュー画面１００から、商品購入アプリケーション１００ａをタップして選択する。
【００２２】
（１）店舗選定工程（ステップＳ１）
商品購入アプリケーション１００ａが選択されると、図２に示した店舗選定手段１４は、図５に示す店舗選択画面１０１を表示させる。店舗選択画面１０１には、例えばＡスーパー１０１ａ、Ｂスーパー１０１ｂ、Ｃ酒店１０１ｃなどの複数の店舗情報が表示され、操作者は、その中から１つの店舗をタップして選択する。選択された店舗情報は、店舗選択手段１４によって、内部の記憶素子に記憶される。
【００２３】
（２）バーコード撮像工程（ステップＳ２）
店舗選定工程において１つの店舗が選択されると、バーコードの撮像を促すメッセージが表示画面１０に表示される。操作者は、携帯電話機１０のカメラ１１を用いて醤油のびんに貼付されたラベルに記載されているバーコードを撮像する。そうすると、図２に示したバーコード撮像手段１２は、図６に示すように、バーコード表示画面１０２に、その画像であるバーコード情報１０２ａが表示画面１０に表示するとともに、読み込みボタン１０２ｂを表示する。操作者が読み込みボタン１０２ｂをタップすると、携帯電話機１に備えた記憶素子にそのバーコード情報が記憶され、バーコード撮像手段１２がバーコード情報を取得し、内部の記憶素子にその情報を記憶する。購入しようとする商品が複数種類ある場合は、バーコードの撮像及びその画像の読み込みを複数回行う。
【００２４】
（２−１）バーコードリストステップ（ステップＳ２１）
バーコード撮像工程において、複数の商品について、それぞれバーコードの撮像及びその画像の読み込みを行った場合は、図２に示したバーコードリスト手段１６は、図７に示すように、表示画面１０に、購入商品リスト１０３を表示する。購入商品リスト１０３は、複数の商品に対する複数のバーコードをリスト化し、それぞれの商品のバーコード情報１０３ａ、１０３ｂ、１０３ｃとそれらの商品名とを対応付けて表示したもので、操作者は、購入しようとする商品を確認することができる。図７の例では、「みそ」、「醤油」及び「砂糖」を購入しようとする場合を示している。
【００２５】
（２−２）個数入力ステップ（ステップＳ２２）
次に、図２に示した個数入力手段１５は、図８に示すように、表示画面１０に、各商品の個数の入力を促す数量入力画面１０４を表示する。操作者は、表示画面１０に表示されるキーパッド等をタップして数量入力欄１０４ａに商品の個数を入力する。入力された個数情報は、個数入力手段１５によって、内部の記憶素子に記憶される。
【００２６】
（３）配達時刻入力工程（ステップＳ３）
図８に示すように、数量入力画面１０４には、商品の配達を希望する時刻を入力するための時刻入力欄１０４ｂが表示される。操作者は、表示画面１０に表示されるキーパッド等をタップして時刻入力欄１０４ｂに配達希望時刻を入力する。入力された配達希望時刻情報は、内部の記憶素子に記憶される。
【００２７】
（４）支払方法特定工程（ステップＳ４）
次に、図２に示した支払方法特定手段１７は、図９に示すように、支払方法の選択を促す支払方法選択画面１０５を表示画面１０に表示する。図９の例では、商品の代金の支払方法として、「クレジットカード」、「代金引換」、「銀行振込」の中から１つを選択可能となっており、操作者がこの中の１つをタップして選択することで、支払方法が決定され、その情報が内部の記憶素子に記憶される。
【００２８】
（５）バーコード情報送信工程（ステップＳ５）
次に、図１０に示すバーコード情報送信画面１０６が表示される。バーコード情報送信画面１０６には、送信ボタン１０６ａが表示されており、操作者がこの送信ボタン１０６ａをタップすると、図２に示したバーコード情報送信手段１３は、インターネット３を介して、バーコード撮像工程で取得したバーコード情報を店舗２のサーバ２０へ送信する。このときにサーバ２０に送信される情報には、個数入力ステップで入力された商品の個数情報、配達時刻入力工程で入力された配達希望時刻情報、支払方法特定工程で入力された支払方法情報が含まれる。
【００２９】
（６）商品特定工程（ステップＳ６）
店舗２のサーバ２０では、バーコード情報送信工程において送信されたバーコード情報を受信する。そして、図２に示した商品特定手段２２は、バーコード情報から商品を特定し、店舗２では、商品の配達の準備を行う。
【００３０】
（７）時間帯情報送信工程（ステップＳ７）
次に、店舗２のサーバ２０では、図２に示した時間帯情報送信手段２３が、商品の納品の時間帯情報を、インターネット２を介して携帯電話機１に送信する。そして、その時間に、配達員が、注文者の家に商品を配達する。
【００３１】
（８）時間帯情報表示工程（ステップＳ８）
図２に示した時間帯表示手段１８は、サーバ２０から送信された商品の納品の時間帯情報を受信し、表示画面１０に表示させる。これにより、発注者は、商品の配達時刻を把握することができる。そして、その時刻に配達された商品を受け取る。例えば、支払方法特定工程において、代金引換を選択した場合は、商品の受け取り時に代金を支払う。
【００３２】
このように、バーコード撮像工程において携帯電話機を用いて商品に付されたバーコードを撮像し、バーコード情報送信工程においてそのバーコード情報を店舗に送信し、商品特定工程では店舗側においてバーコード情報から商品を特定するため、店舗側で特定された商品を注文者に配達することができる。したがって、例えば、主婦が夕食の支度をしている最中に醤油などの調味料が不足していることに気づき、同じ製品を迅速に手に入れたい場合は、その調味料のびんなどの入れ物に付されているバーコードを携帯電話機で撮影して店舗に送信するだけで、同じ商品を迅速に手に入れることができる。
【００３３】
バーコード撮像工程においては、商品の個数を入力することで、欲しい商品を所望の数量手に入れることができる。
【００３４】
バーコード撮像工程においては、複数の商品に対する複数のバーコードをリスト化することで、複数の商品を同時に購入したい場合に、各商品を確認することができる。
【００３５】
支払方法特定工程では、商品の代金の支払方法を特定するため、注文者が望む支払方法を選択することができる。
【００３６】
店舗選定工程では、表示画面に複数の店舗情報が表示され、表示画面から店舗を選定することができるため、複数の店舗の中から注文者が望む店舗を選択して商品を注文することができる。
【００３７】
店舗から、商品の納品の時間帯を携帯電話機に送信するようにすることで、注文者は、納品の時間帯を把握することができ、確実に商品を受け取ることが可能となる。
【００３８】
なお、図４のメニュー画面１００を表示せずに、図５の店舗選択画面１０１を表示させるようにしてもよい。また、バーコードに店舗を特定するための情報が含まれている場合は、店舗選択工程を省略することができる。
【００３９】
上記の商品購入方法を可能とするために、発注者と店舗との間で、次のような契約を事前に締結する。
１  店舗は、発注者の携帯電話機から送信されるバーコードで発注を受け付けること。
２  購入対象製品は、バーコードで特定される製品に限られること。
３  納品先の住所を事前に連絡すること。
４  納入先は、店舗から○○分以内であること。
５  支払方法を明確にすること。
【産業上の利用可能性】
【００４０】
本発明は、インターネットを介して携帯電話機と店舗のコンピュータとを接続し、商品に固有の情報であるバーコード情報を使用して商品を特定して発注及び受注を行い、その商品の配達を可能とするもので、商品の迅速な入手を可能とするものである。
【符号の説明】
【００４１】
１：携帯電話機  １０：表示画面  １１：カメラ
１２：バーコード撮像手段  １３：バーコード情報送信手段  １４：店舗選択手段
１５：個数入力手段  １６：バーコードリスト手段  １７：支払方法特定手段
１８：時間帯表示手段
２：店舗  ２０：サーバ  ２１：端末
２２：商品特定手段  ２３：時間帯情報送信手段
３：インターネット
１００：メニュー画面  １０１：店舗選択画面  １０２：バーコード表示画面
１０３：購入商品リスト  １０４：数量入力画面  １０５：支払方法選択画面
１０６：バーコード情報送信画面
【図１】
2016004524.tif 000003
【図２】
2016004524.tif 000004
【図３】
2016004524.tif 000005
【図４】
2016004524.tif 000006
【図５】
2016004524.tif 000007
【図６】
2016004524.tif 000008
【図７】
2016004524.tif 000009
【図８】
2016004524.tif 000010
【図９】
2016004524.tif 000011
【図１０】
2016004524.tif 000012